(57)【特許請求の範囲】
【請求項１】
非ＩＰ端末である子機と、前記子機を無線接続する親機とからなるコードレス電話装置であって、
前記親機は、
前記子機と無線接続する無線インタフェースを介して、前記子機との間の通信プロトコルを制御する子機制御部と、
無線ＩＰ端末との間でパケットデータを送受信する無線ＬＡＮインタフェース部と、
前記無線ＩＰ端末から親機検索メッセージを受信すると前記親機に内蔵するＩＰ呼制御サーバーのアドレス情報を前記無線ＩＰ端末に返信する親機検索部と、
前記ＩＰ呼制御サーバーを備え、前記無線ＩＰ端末からのＩＰ電話メッセージを親機制御部内で処理する内部メッセージ形式へ変換する処理、および、前記親機制御部内の各部からの内部メッセージを前記ＩＰ電話メッセージに変換して前記無線ＩＰ端末との間の通信プロトコルを制御する処理を行うＩＰ電話制御部と、
前記無線ＩＰ端末から前記親機のアドレス情報を宛先アドレスとしたパケットデータを受信すると、該パケットデータを前記ＩＰ電話制御部に転送する無線ＬＡＮブリッジ制御部と、
子機として登録された無線ＩＰ端末から子機認証メッセージを受信し、前記子機認証メッセージに含まれる認証ＩＤと認証パスワードによって前記子機として登録された無線ＩＰ端末との同一性を確認する子機認証部と、
前記無線ＩＰ端末から前記無線ＬＡＮブリッジ制御部を経由して前記ＩＰ電話制御部に転送されたパケットデータの内、前記同一性が確認された無線ＩＰ端末から受信したパケットデータを、前記親機配下の子機から受信したメッセージデータとして処理して、前記同一性が確認された無線ＩＰ端末に対して前記非ＩＰ端末である子機と共通の呼制御を実行する親機制御部と、
を具備する、
コードレス電話装置。
【請求項２】
前記親機は、
前記無線ＩＰ端末から子機登録要求メッセージを受信し、前記無線ＩＰ端末を子機として登録する子機登録部をさらに具備する、
請求項１に記載のコードレス電話装置。
【請求項３】
前記認証ＩＤは、前記無線ＩＰ端末の識別情報であり、
前記認証パスワードは、前記無線ＩＰ端末のＭＡＣアドレスである、
請求項１または請求項２に記載のコードレス電話装置。
【請求項４】
前記親機のアドレス情報は、前記親機のＭＡＣアドレス及び呼制御サーバーのＩＰアドレスである、
請求項１から請求項３の何れか一つに記載のコードレス電話装置。
【請求項５】
請求項１から請求項４の何れか一つに記載のコードレス電話装置と、
前記コードレス電話装置の親機と無線ＬＡＮを介してパケットデータを送受信し、前記親機配下の子機として呼制御される無線ＩＰ端末と、
を具備するコードレス電話システム。
【発明の詳細な説明】
【技術分野】
【０００１】
本発明は、無線ＬＡＮ通信部を備えた無線ＩＰ端末を子機として接続するコードレス電話装置及びコードレス電話システムに関する。
【背景技術】
【０００２】
昨今、携帯電話網に接続する携帯電話機（いわゆる、スマートホンを含む）に無線ＬＡＮ通信部（ＩＥＥＥ．８０２．１１規格のＷｉ−Ｆｉ（登録商標）機能）を設け、この携帯電話機を用いて、自宅やオフィス（以下、「宅内」という）の無線ＬＡＮ環境下でインターネットに接続し、ＷｅｂブラウジングやＩＰ電話等の様々なインターネットサービスが利用可能となっている。
【０００３】
一方で、宅内には、固定電話網に接続するコードレス電話機が備えられており、コードレス電話機を家族などの複数人で共用し、携帯電話機を個人用として、それぞれを全く独立した用途の電話機として利用している。そこで、このようなコードレス電話機と携帯電話機とを接続する技術が、例えば、特許文献１〜３に開示されている。
【０００４】
特許文献１には、ＰＨＳ（Personal Handy-phone System）の技術を用いて、携帯電話機の通信モードを公衆モードまたは自営モードに切り替えることにより、屋外では携帯電話機として、宅内ではコードレス電話機の子機として併用可能なコードレス電話システムが記載されている。
【０００５】
また、特許文献２には、電話網制御回路（固定電話網通信部）とデジタル無線通信部（無線ＬＡＮ通信部）を備えた親機に、無線ＩＰ電話端末（子機）を接続し、無線ＩＰ電話端末をインターネット無線電話器として利用する電話機システムが記載されている。
【０００６】
さらに、特許文献３には、既存のコードレス電話送受信部と無線ＬＡＮ送受信部を備え、コードレス電話と無線ＬＡＮとを共存させ、コードレス電話機での音切れや遅延の無い通話を可能とした複合機が記載されている。
【先行技術文献】
【特許文献】
【０００７】
【特許文献１】特開２０００−２５３４４８号公報
【特許文献２】特開２００６−０２５０２０号公報
【特許文献３】特開２００８−２４４９７８号公報
【発明の概要】
【発明が解決しようとする課題】
【０００８】
しかしながら、特許文献１に記載のコードレス電話システムでは、ＰＨＳ電話機の自営モードでの利用においては、屋外で使っている公衆モードのＰＨＳ電話機を自営モードに切り替え、宅内のコードレス電話機の子機としてのハンドセット通話を可能とすることを、その主な目的とするもので、スマートホン等でのＷｅｂブラウジングで要求される高速かつ大量のデータ通信でインターネットに接続するものではない。
【０００９】
また、特許文献２に記載の電話機システムでは、電話機システムの親機と子機との接続は、公知のコードレス電話機の親機と子機との間の無線通信方式を、単に無線ＬＡＮ方式に置き換えたものであり、公知の非無線ＬＡＮ方式の子機と無線ＬＡＮ方式の子機とを共存させるものでない。
【００１０】
さらに、特許文献３に記載の複合機では、無線ＬＡＮ送受信部を介して無線ＩＰ端末からの受信パケットを無線アクセスポイントに中継接続するものではなく、また、無線ＩＰ電話端末をコードレス電話子機として制御するものでもない。特に、広い宅内などの電波の届きにくい環境では、無線アクセスポイントと無線ＩＰ端末とが接続しにくい場合があり、これらの中継に対する要求がある。
【００１１】
本発明の目的は、宅内及び宅外にて、インターネットに接続可能な無線ＬＡＮ通信機能を備える無線ＩＰ端末をコードレス電話子機として利用すると共に、宅内にて、無線ＬＡＮ通信機能を備えないコードレス電話子機を共存させるコードレス電話装置及びコードレス電話システムを提供することである。
【課題を解決するための手段】
【００１２】
本発明の一態様に係るコードレス電話装置は、非ＩＰ端末である子機と、前記子機を無線接続する親機とからなるコードレス電話装置であって、前記親機は、前記子機と無線接続する無線インタフェースを介して、前記子機との間の通信プロトコルを制御する子機制御部と、無線ＩＰ端末との間でパケットデータを送受信する無線ＬＡＮインタフェース部と、前記無線ＩＰ端末から親機検索メッセージを受信すると前記親機に内蔵するＩＰ呼制御サーバーのアドレス情報を前記無線ＩＰ端末に返信する親機検索部と、前記ＩＰ呼制御サーバーを備え、前記無線ＩＰ端末からのＩＰ電話メッセージを親機制御部内で処理する内部メッセージ形式へ変換する処理、および、前記親機制御部内の各部からの内部メッセージを前記ＩＰ電話メッセージに変換して前記無線ＩＰ端末との間の通信プロトコルを制御する処理を行うＩＰ電話制御部と、前記無線ＩＰ端末から前記親機のアドレス情報を宛先アドレスとしたパケットデータを受信すると、該パケットデータを前記ＩＰ電話制御部に転送する無線ＬＡＮブリッジ制御部と、子機として登録された無線ＩＰ端末から子機認証メッセージを受信し、前記子機認証メッセージに含まれる認証ＩＤと認証パスワードによって前記子機として登録された無線ＩＰ端末との同一性を確認する子機認証部と、前記無線ＩＰ端末から前記無線ＬＡＮブリッジ制御部を経由して前記ＩＰ電話制御部に転送されたパケットデータの内、前記同一性が確認された無線ＩＰ端末から受信したパケットデータを、前記親機配下の子機から受信したメッセージデータとして処理して、前記同一性が確認された無線ＩＰ端末に対して前記非ＩＰ端末である子機と共通の呼制御を実行する親機制御部と、を具備する構成を採る。
【発明の効果】
【００１４】
本発明によれば、宅内及び宅外にて、インターネットに接続可能な無線ＬＡＮ通信機能を備える携帯電話機をコードレス電話子機として利用すると共に、宅内にて、無線ＬＡＮ通信機能を備えないコードレス電話子機を共存させることができる。
【図面の簡単な説明】
【００１５】
【図１】本発明の一実施の形態に係るコードレス電話システムの構成を示す模式図
【図２】図１に示したコードレス電話親機の構成を示すブロック図
【図３】図１に示した携帯電話機（無線ＩＰ端末）の構成を示すブロック図
【図４】図２に示したコードレス電話親機のパケット受信処理を示すフロー図
【図５】図４に示した子機登録処理を示すフロー図
【図６】図４に示した子機認証処理を示すフロー図
【図７】図２に示したコードレス電話親機における無線ＬＡＮブリッジ制御の手順を示すシーケンス図
【図８】図２に示したコードレス電話親機における携帯電話機の子機登録、子機認証、及び、子機間内線通話の手順を示すシーケンス図
【図９】図２に示したコードレス電話親機が携帯電話機に子機付加情報を送信する手順を示すシーケンス図
【図１０】ＳＩＰサーバーが有する無線ＬＡＮアドレス情報テーブルの一例を示す図
【図１１】記憶部が有する子機管理テーブルの一例を示す図
【図１２】記憶部が有する子機付加情報テーブルの一例を示す図
【発明を実施するための形態】
【００１６】
以下、本発明の実施の形態について、図面を参照して詳細に説明する。
【００１７】
（一実施の形態）
図１は、本発明の一実施の形態に係るコードレス電話システムの構成を示す模式図である。以下、図１を用いて、コードレス電話システムの構成について説明する。なお、以下の説明において、無線ＩＰ端末の一例としてスマートホンを含む携帯電話機を挙げるが、本発明はこれに限定するものではない。
【００１８】
図１では、宅内にコードレス電話親機１０が設けられ、コードレス電話親機１０は、アクセスポイント２０を介して、インターネットに接続しており、一方で、固定電話網に接続している。また、宅内には、コードレス電話親機１０と接続するコードレス電話子機（ＣＤＬ子機）３０−１、３０−２と、コードレス電話親機１０、携帯電話網及び無線ＬＡＮに接続する携帯電話機４０−１、４０−２が存在するものとする。また、宅外には、携帯電話機４０−１、４０−２と同様の機能を有する携帯電話機４０−３が存在するものとする。なお、特定のコードレス電話子機を区別しない場合には、コードレス電話子機３０と総称し、また、特定の携帯電話機を区別しない場合には、携帯電話機４０と総称する。携帯電話機４０は、コードレス電話親機１０とＷｉ−Ｆｉにて接続するものとする。
【００１９】
図１では、コードレス電話子機３０がコードレス電話親機１０を介して、固定電話網及び携帯電話機に接続可能であり、また、携帯電話機４０がコードレス電話親機１０を介して、コードレス電話子機３０、固定電話網、アクセスポイント２０に接続可能である。
【００２０】
図１では、子機と親機との間の無線通信方式にＤＥＣＴ（Digital Enhanced Cordless Telecommunications）方式を採用したコードレス電話子機３０であって、コードレス電話子機３０は、コードレス電話親機１０を介して、固定電話網及び携帯電話機に接続可能である。また、携帯電話機４０は、コードレス電話親機１０を介して、コードレス電話子機３０、固定電話網、アクセスポイント２０に接続可能である。
【００２１】
図２は、図１に示したコードレス電話親機１０の構成を示すブロック図である。以下、図２を用いて、コードレス電話親機１０の構成について説明する。
【００２２】
ＮＣＵ（Network Control Unit）及びモデム部１０１は、発呼時の公衆回線との接続および公衆回線からの着呼検出などの電話回線の制御を行う回線制御回路（ＮＣＵ）と、着信時に公衆回線からの発信者番号情報を受信するモデム部である。
【００２３】
ＴＡＭ（Telephone Answering Machine）部１０２は、留守番電話メッセージを記憶し、メッセージの録音及び再生を行う。
【００２４】
記憶部１０３は、コードレス電話装置の各種設定データ、電話帳データ、発着信履歴情報、ＳＭＳメッセージ等の子機の通信履歴を含む子機付加情報を記憶する。
【００２５】
音声入出力部１０４は、マイク、スピーカーから構成され、着信音の出力、通話音声の入力出力を行う。
【００２６】
操作部１０５は、ユーザーが操作を行うダイヤル、各種機能ボタンから構成され、ＬＣＤ（Liquid Crystal Display）部１０６は、各種情報を表示する。
【００２７】
コードレス電話子機無線Ｉ／Ｆ部１０７は、コードレス電話子機３０との無線データ送受信回路であり、無線信号の周波数変換を行うＲＦ／ＩＦ部、変調及び復調を行う変復調部、ＴＤＭＡ信号処理等を行うデジタル信号処理回路から構成される。
【００２８】
コードレス電話子機制御部１０８は、コードレス電話子機３０との間で制御データを送受信し、コードレス電話子機３０との間の制御プロトコル（例えば、ＤＥＣＴプロトコル方式、ＰＨＳプロトコル方式等）に従った発呼、着呼等のプロトコル制御を行う。なお、以下の説明では、コードレス電話子機３０との間の制御プロトコルにＤＥＣＴ方式を採用するものとする。
【００２９】
親機制御部１０９は、コードレス電話親機１０全体を制御する。具体的には、親機制御部１０９は、親機制御部１０９周辺の各部から発生したイベント、メッセージを受信及び解析し、発着信呼の状態及び呼接続を制御し、各部に指示する。
【００３０】
呼制御部１１０は、ＮＣＵ及びモデム部１０１、コードレス電話子機制御部１０８、及び、ＩＰ電話制御部１１３から受信したイベント、及び、各種メッセージを処理する。
【００３１】
子機登録部１１１は、コードレス電話親機１０の制御対象となる子機（コードレス電話子機３０、携帯電話機４０（無線ＩＰ端末））の登録及び削除を行う。
【００３２】
子機認証部１１２は、コードレス電話親機１０に登録済みの子機（携帯電話機４０）からの接続認証を行う。
【００３３】
ＩＰ電話制御部１１３は、携帯電話機４０からのＩＰ呼制御メッセージ、及び、音声パケットを処理する。
【００３４】
ＳＩＰサーバー１１４は、無線ＬＡＮ機能を搭載しＩＰ電話制御プロトコルとして、ＳＩＰ（Session Initiation Protocol）を採用した携帯電話機４０（無線ＩＰ端末）に対して、ＳＩＰ位置登録、及び、ＳＩＰ呼制御を提供する。なお、ここで、ＩＰ電話制御プロトコルとして、ＳＩＰサーバー１１４を配置したが、接続する無線ＩＰ端末が、ＳＩＰ以外のプロトコルであれば、該プロトコルに対応する呼制御サーバーを配置すれば良い。
【００３５】
ＳＩＰ制御部１１５は、コードレス電話親機１０の内部に設けた仮想のＳＩＰ端末として、ＳＩＰサーバー１１４と連携して呼制御手順を行うＳＩＰのプロトコルスタックであり、携帯電話機４０との間に呼を確立する。また、ＳＩＰ制御部１１５は、携帯電話機４０側から受信したＳＩＰメッセージ等を、親機制御部１０９が処理するための内部メッセージの形式に変換後、親機制御部１０９に送信したり、親機制御部１０９から受信した内部メッセージを、ＳＩＰメッセージ等に変換し、ＳＩＰサーバー１１４に送信し、携帯電話機４０を親機制御部１０９配下の子機として制御するための中継処理を行う。
【００３６】
ＶｏＩＰ制御部１１６は、ＮＣＵ及びモデム部１０１、コードレス電話子機制御部１０８、音声入出力部１０４から受信したＰＣＭ（Pulse Code Modulation）データの音声パケットデータへの符号化、携帯電話機４０から受信した音声パケットデータのＰＣＭデータへの復号化、及び、音声パケットの遅延及びゆらぎを吸収するジッターバッファー制御を行う。
【００３７】
親機検索部１１７は、携帯電話機４０から親機検索メッセージを受信し、コードレス電話親機のアドレス情報を携帯電話機４０に返信する。
【００３８】
無線ＬＡＮ Ｉ／Ｆ部１１８は、ＩＥＥＥ８０２．１１、Ｂｌｕｅｔｏｏｔｈ（登録商標）等の無線ＬＡＮプロトコル制御を行い、携帯電話機４０との無線データの送受信を行う。
【００３９】
無線ＬＡＮブリッジ制御部１１９は、無線ＬＡＮ Ｉ／Ｆ部１１８で受信したパケットデータのパケット種別、宛先アドレス情報を解析し、受信パケットを親機制御部１０９に転送するか、アクセスポイント２０へ転送するかを判断し、転送処理を行う。
【００４０】
図３は、図１に示した携帯電話機（無線ＩＰ端末）４０の構成を示すブロック図である。以下、図３を用いて、携帯電話機４０の構成について説明する。
【００４１】
セルラー無線Ｉ／Ｆ部１４１は、電話用アンテナを介して携帯電話基地局との無線データ送受信を行う。
【００４２】
記憶部１４２は、コードレス電話装置の各種設定データ、電話帳データ、発着信履歴情報、ＳＭＳメッセージ等の情報を記憶する。
【００４３】
音声入出力部１４３は、マイク、スピーカーから構成され、着信音の出力、通話音声の入力出力を行う。
【００４４】
操作部１４４は、ユーザーが操作を行うダイヤル、各種機能ボタンから構成され、ＬＣＤ部１４５は、各種情報を表示する。また、スマートホン等のタッチパネルにて、操作部１４４とＬＣＤ部１４５を構成しても良い。
【００４５】
無線ＬＡＮ Ｉ／Ｆ部１４６は、ＩＥＥＥ８０２．１１、Ｂｌｕｅｔｏｏｔｈ（登録商標）等の無線ＬＡＮプロトコル制御を行い、コードレス電話親機１０との無線データの送受信を行う。
【００４６】
端末制御部１４７は、携帯電話機４０全体を制御する。具体的には、端末制御部１４７は、端末制御部１４７周辺の各部から発生したイベント、メッセージを受信及び解析し、発着信呼の状態及び呼接続を制御し、各部に指示する。
【００４７】
セルラー電話制御部１４８は、セルラー無線Ｉ／Ｆ部１４１、及び、ＩＰ電話制御部１５３から受信した呼制御メッセージを処理する。
【００４８】
Ｗｅｂブラウザ制御部１４９は、無線接続状況に応じて、セルラー無線Ｉ／Ｆ部１４１、若しくは、無線ＬＡＮ Ｉ／Ｆ部１４６を介して、無線データの送受信を行う。
【００４９】
親機検索要求部１５０は、無線ＬＡＮにて接続可能なコードレス電話親機１０を検索するためのマルチキャストパケットを生成し、親機検索要求として無線ＬＡＮ Ｉ／Ｆ部１４６から送出させる。親機検索要求の起動は、操作部１４４からのキー入力操作や、タッチパネルからの所定のアイコンをタッチ、若しくは、周期的に、親機検索要求プログラムを起動して行われる。
【００５０】
子機登録要求部１５１は、コードレス電話親機１０に子機登録要求メッセージを送信して、コードレス電話親機１０の制御対象である子機としての登録を要求する。
【００５１】
子機認証要求部１５２は、コードレス電話親機１０に登録済みの子機として接続認証を要求する。
【００５２】
ＩＰ電話制御部１５３は、ＩＰ呼制御メッセージおよび音声パケットを処理する。
【００５３】
ＳＩＰ制御部１５４は、携帯電話機４０をＳＩＰ端末として機能させるＳＩＰ規格のプロトコルスタックである。
【００５４】
ＶｏＩＰ制御部１５５は、ＰＣＭデータの音声パケットデータへの符号化、コードレス電話親機１０から受信した音声パケットデータのＰＣＭデータへの復号化、及び、音声パケットの遅延及びゆらぎを吸収するジッターバッファー制御を行う。
【００５５】
図４は、図２に示したコードレス電話親機１０のパケット受信処理を示すフロー図である。ステップＳＴ２０１において、無線ＬＡＮブリッジ制御部１１９は、受信パケットの種別がマルチキャストパケットであるか否かを判定し、マルチキャストパケットである場合（ＳＴ２０１：ＹＥＳ）、ステップＳＴ２０３に移行し、ユニキャストパケットである場合（ＳＴ２０１：ＮＯ）、ステップＳＴ２０２に移行する。
【００５６】
ステップＳＴ２０２において、無線ＬＡＮブリッジ制御部１１９は、受信パケットの宛先ＭＡＣアドレスがコードレス電話親機１０であるか否かを判定し、宛先ＭＡＣアドレスがコードレス電話親機１０である場合（ＳＴ２０２：ＹＥＳ）、ステップＳＴ２０５に移行し、宛先ＭＡＣアドレスがコードレス電話親機１０ではない場合（ＳＴ２０２：ＮＯ）、ステップＳＴ２０４に移行する。
【００５７】
ステップＳＴ２０３において、ＩＰ電話制御部１１３は、受信パケットが親機検索メッセージであるか否かを判定し、親機検索メッセージである場合（ＳＴ２０３：ＹＥＳ）、ステップＳＴ２０６に移行し、親機検索メッセージではない場合（ＳＴ２０３：ＮＯ）、ステップＳＴ２０４に移行する。
【００５８】
ステップＳＴ２０４において、無線ＬＡＮブリッジ制御部１１９は、受信パケットを、アクセスポイント２０に転送する中継処理を行う。
【００５９】
ステップＳＴ２０５において、ＩＰ電話制御部１１３は、受信パケットが親機検索メッセージであるか否かを判定し、親機検索メッセージである場合（ＳＴ２０５：ＹＥＳ）、ステップＳＴ２０６に移行し、親機検索メッセージではない場合（ＳＴ２０５：ＮＯ）、ステップＳＴ２０７に移行する。
【００６０】
ステップＳＴ２０６において、ＩＰ電話制御部１１３は、コードレス電話親機１０のアドレス情報として、コードレス電話親機４０のＭＡＣアドレスとＳＩＰサーバー１１４のＩＰアドレスを返信する。
【００６１】
ステップＳＴ２０７において、ＩＰ電話制御部１１３は、受信パケットが子機登録要求メッセージであるか否かを判定し、子機登録要求メッセージである場合（ＳＴ２０７：ＹＥＳ）、ステップＳＴ２０８に移行し、子機登録要求メッセージではない場合（ＳＴ２０７：ＮＯ）、ステップＳＴ２０９に移行する。
【００６２】
ステップＳＴ２０８において、子機登録部１１１は、子機登録処理を行う。子機登録処理の詳細については後述する。
【００６３】
ステップＳＴ２０９において、ＩＰ電話制御部１１３は、受信パケットが子機認証要求メッセージであるか否かを判定し、子機認証要求メッセージである場合（ＳＴ２０９：ＹＥＳ）、ステップＳＴ２１０に移行し、子機認証要求メッセージではない場合（ＳＴ２０９：ＮＯ）、ステップＳＴ２１１に移行する。
【００６４】
ステップＳＴ２１０において、子機認証部１１２は、子機認証処理を行う。子機認証処理の詳細については後述する。
【００６５】
ステップＳＴ２１１において、ＩＰ電話制御部１１３は、受信パケットの送信元ＭＡＣアドレスが子機登録済みであるか否かを判定し、子機登録済みである場合（ＳＴ２１１：ＹＥＳ）、ステップＳＴ２１２に移行し、子機登録済みではない場合（ＳＴ２１１：ＮＯ）、ステップＳＴ２１３に移行する。
【００６６】
ステップＳＴ２１２において、ＩＰ電話制御部１１３は、送信元ＭＡＣアドレスに対応する子機からのメッセージデータとして呼制御処理を行う。
【００６７】
ステップＳＴ２１３において、ＩＰ電話制御部１１３は、受信パケットを破棄する。
【００６８】
図５は、図４に示した子機登録処理を示すフロー図である。ステップＳＴ２２１において、子機登録部１１１は、新たに子機登録可能な空きポートがあるか否かを判定し、空きポートがある場合（ＳＴ２２１：ＹＥＳ）、ステップＳＴ２２２に移行し、空きポートがない場合（ＳＴ２２１：ＮＯ）、ステップＳＴ２２４に移行する。
【００６９】
ステップＳＴ２２２において、子機登録部１１１は、子機識別情報、子機ＭＡＣアドレス情報を記憶部１０３の子機管理テーブルに記憶し、ステップＳＴ２２３において、子機登録応答（ＯＫ、内線番号等を含む）を登録した子機に通知する。
【００７０】
ステップＳＴ２２４において、子機登録部１１１は、子機登録応答（ＮＧ）を子機に通知する。
【００７１】
図６は、図４に示した子機認証処理を示すフロー図である。ステップＳＴ２３１において、子機認証部１１２は、子機認証要求メッセージを送信してきた子機が登録済み（子機の認証ＩＤ及び認証パスワードを登録済み）であるか否かを判定し、登録済みである場合（ＳＴ２３１：ＹＥＳ）、ステップＳＴ２３２に移行し、登録済みではない場合（ＳＴ２３１：ＮＯ）、ステップＳＴ２３４に移行する。
【００７２】
ステップＳＴ２３２において、子機認証部１１２は、子機認証要求メッセージに含まれる認証ＩＤ及び認証パスワードが登録されているものと一致するか否か（同一性）を判定し、一致する場合（ＳＴ２３２：ＹＥＳ）、ステップＳＴ２３３に移行し、一致しない場合（ＳＴ２３２：ＮＯ）、ステップＳＴ２３４に移行する。
【００７３】
ステップＳＴ２３３において、子機認証部１１２は、子機認証応答（ＯＫ）を子機に通知し、ステップＳＴ２３４において、子機認証部１１２は、子機認証応答（ＮＧ）を子機に通知する。
【００７４】
次に、図２に示したコードレス電話親機１０における無線ＬＡＮブリッジ制御の手順について、図７を用いて説明する。
【００７５】
ステップＳＴ３０１において、携帯電話機４０から無線ＬＡＮブリッジ制御部１１９がパケットデータ１（ＤＡＴＡ１）を受信する。無線ＬＡＮブリッジ制御部１１９が受信したパケットの宛先アドレスがコードレス電話親機１０以外と判定したとすると、ステップＳＴ３０２及びステップＳＴ３０３において、受信したパケットデータ１を無線ＬＡＮ Ｉ／Ｆ部１１８及びアクセスポイント２０を介してインターネットに送信する。
【００７６】
また、ステップＳＴ３１１において、携帯電話機４０から無線ＬＡＮブリッジ制御部１１９がパケットデータ２（ＤＡＴＡ２）を受信する。無線ＬＡＮブリッジ制御部１１９が受信したパケットの宛先アドレスがコードレス電話親機１０と判定したとすると、ステップＳＴ３１２において、受信したパケットデータ２をＩＰ電話制御部１１３等に出力する。
【００７７】
さらに、ステップＳＴ３２１及びステップＳＴ３２２において、インターネットからアクセスポイント２０及び無線ＬＡＮ Ｉ／Ｆ部１１８を介して無線ＬＡＮブリッジ制御部１１９がパケットデータ３（ＤＡＴＡ３）を受信する。ステップＳＴ３２３において、無線ＬＡＮブリッジ制御部１１９が受信したパケットの宛先アドレスがコードレス電話親機１０以外と判定したとすると、受信したパケットデータ３を無線ＬＡＮ Ｉ／Ｆ部１１８を介して携帯電話機４０に送信する。
【００７８】
次に、図２に示したコードレス電話親機１０における携帯電話機４０の子機登録、子機認証、及び、子機間内線通話の手順について、図８を用いて説明する。
【００７９】
まず、携帯電話機４０の子機登録手順について説明する。ステップＳＴ４０１において、携帯電話機４０から無線ＬＡＮ Ｉ／Ｆ部１１８、無線ＬＡＮブリッジ制御部１１９を介してＩＰ電話制御部１１３がマルチキャストパケット（親機検索メッセージ）を受信する。ステップＳＴ４０２において、ＩＰ電話制御部１１３が検索応答としてコードレス電話親機１０のＭＡＣアドレス、及び、ＳＩＰサーバー（呼制御サーバ−）のＩＰアドレスを携帯電話機４０に返送する。
【００８０】
ステップＳＴ４０３において、携帯電話機４０は、子機識別情報を含む子機登録要求を親機制御部１０９に送信し、親機制御部１０９は、子機登録処理として携帯電話機４０を子機として登録すると共に、子機の識別情報及び子機ＭＡＣアドレスを記憶する。ステップＳＴ４０４において、親機制御部１０９は、子機登録応答（ＯＫ、内線番号）を携帯電話機４０に送信する。
【００８１】
次に、携帯電話機４０の子機認証手順について説明する。ステップＳＴ４１１において、親機制御部１０９が携帯電話機４０から認証ＩＤ及び認証パスワードを含む子機認証要求メッセージを受信し、親機制御部１０９が子機認証処理を行う。すなわち、受信した認証ＩＤ及び認証パスワードが登録されているものと一致するか否かを確認し、一致する場合には、ステップＳＴ４１２において、親機制御部１０９は、子機認証応答（ＯＫ）を携帯電話機４０に送信する。
【００８２】
次に、携帯電話機４０及びコードレス電話子機３０間の内線通話手順について説明する。ステップＳＴ４２１において、携帯電話機４０からの発呼（INVITE）を親機制御部１０９が受信すると、ステップＳＴ４２２において、親機制御部１０９がSETUPをコードレス電話子機無線Ｉ／Ｆ部に出力し、ステップＳＴ４２３において、コードレス電話子機無線Ｉ／Ｆ部１０７がCC(Call Control)-SETUPをコードレス電話子機３０に送信する。
【００８３】
一方、ステップＳＴ４２４において、携帯電話機４０からの発呼を受信した親機制御部１０９は、CALL-PROCをＩＰ電話制御部１１３に出力し、ステップＳＴ４２５において、ＩＰ電話制御部１１３は、100 TRYINGを携帯電話機４０に送信する。
【００８４】
ステップＳＴ４２６において、CC-SETUPを受信したコードレス電話子機３０は、CC-ALERTをコードレス電話子機無線Ｉ／Ｆ部１０７に送信し、ステップＳＴ４２７において、コードレス電話子機無線Ｉ／Ｆ部１０７は、ALERTを親機制御部１０９に出力する。
【００８５】
ステップＳＴ４２８において、親機制御部１０９は、ALERTをＩＰ電話制御部１１３に出力し、ステップＳＴ４２９において、ＩＰ電話制御部１１３は、180 RINGINGを携帯電話機４０に送信する。
【００８６】
また、ステップＳＴ４３０において、コードレス電話子機３０は、CC-CONNECTをコードレス電話子機無線Ｉ／Ｆ部１０７に送信し、ステップＳＴ４３１において、コードレス電話子機無線Ｉ／Ｆ部１０７は、CONNECTを親機制御部１０９に出力する。
【００８７】
ステップＳＴ４３２において、親機制御部１０９は、CONNECTをＩＰ電話制御部１１３に出力し、ステップＳＴ４３３において、ＩＰ電話制御部１１３は、200 OKを携帯電話機４０に送信する。
【００８８】
ステップＳＴ４３４において、携帯電話機４０は、12 ACKをＩＰ電話制御部１１３に送信し、ステップＳＴ４３５において、ＩＰ電話制御部１０９は、CONNECT-ACKをコードレス電話子機無線Ｉ／Ｆ部１０７に出力し、ステップＳＴ４３６において、コードレス電話子機無線Ｉ／Ｆ部１０７は、CC-CONNECT-ACKをコードレス電話子機３０に送信する。
【００８９】
このように、一連の発信、呼出、応答シーケンスを経て、携帯電話機４０とコードレス電話子機３０との間の通話路がコードレス電話親機１０を介して形成される。
【００９０】
以上の手順により、ＳＩＰとＤＥＣＴのプロトコルを関連付けて、携帯電話機４０とコードレス電話子機３０との内線通話が可能となる。
【００９１】
次に、図２に示したコードレス電話親機１０が携帯電話機４０に子機付加情報を送信する手順について、図９を用いて説明する。
【００９２】
ステップＳＴ５０１において、コードレス電話親機１０への登録及び認証が既に行われた携帯電話機４０から子機付加情報要求メッセージを親機制御部１０９が受信し、ステップＳＴ５０２において、親機制御部１０９が子機付加情報を要求した子機（携帯電話機４０）の子機付加情報を取得し、取得した子機付加情報を携帯電話機４０に送信する。
【００９３】
また、次のように子機付加情報を送信してもよい。ステップＳＴ５１１において、コードレス電話親機１０への登録が既に行われた携帯電話機４０から認証ＩＤ及び認証パスワードを含む子機認証要求メッセージを親機制御部１０９が受信し、親機制御部が子機認証処理を行う。すなわち、受信した認証ＩＤ及び認証パスワードが登録されているものと一致するか否かを確認し、一致する場合には、ステップＳＴ５１２において、親機制御部１０９は、子機認証応答（ＯＫ）を携帯電話機４０に送信する。さらに、ステップＳＴ５１３において親機制御部１０９は、認証要求した子機（携帯電話機４０）の子機付加情報を取得し、取得した子機付加情報を携帯電話機４０に送信する。このように、認証が完了すると、コードレス電話親機１０から自動的に子機付加情報が送信される。
【００９４】
図１０は、ＳＩＰサーバー１１４が有する無線ＬＡＮアドレス情報テーブルの一例を示す図である。図１０では、コードレス電話親機１０が５台の子機のＭＡＣアドレスを登録可能である場合を示している。図１０に示すように、無線ＬＡＮアドレス情報テーブルは、コードレス電話親機１０のＩＰアドレス及びＭＡＣアドレス、アクセスポイント２０のＭＡＣアドレス、子機１〜５のＭＡＣアドレスを含んでいる。無線ＬＡＮブリッジ制御部１１９は、ＳＩＰサーバー１１４の無線ＬＡＮアドレス情報テーブルを適宜参照し、パケットの転送処理を行う。
【００９５】
図１１は、記憶部１０３が有する子機管理テーブルの一例を示す図である。図１１では、２台のコードレス電話子機（子機１、２）と２台の携帯電話機（子機３、４）を例示する。なお、子機５を未登録の状態で示す。図１１に示すように、子機管理テーブルは、子機１〜５のそれぞれに対して、内線番号、接続状態、内線名、子機種別、ＭＡＣアドレス、認証ＩＤ及び認証パスワードが対応付けられている。図１１では、認証ＩＤを内線名としているが、携帯電話機の識別情報であればよく、また、認証パスワードは、携帯電話機のＭＡＣアドレス（その一部を含む）を用いればよい。子機登録部１１１及び子機認証部１１２は、記憶部１０３の子機管理テーブルの登録及び更新を行って、子機を管理する。
【００９６】
図１２は、記憶部１０３が有する子機付加情報テーブルの一例を示す図である。図１２では、図１１に示した子機管理テーブルに対応するように、子機付加情報テーブルを示している。すなわち、５台の子機それぞれの子機付加情報を管理する。図１２に示すように、各子機の子機付加情報としては、子機に発生したショートメッセージの発生日時、相手電話番号、テキストメッセージを含むＳＭＳ情報（ＳＭＳメッセージ）、留守番電話（ＴＡＭ）情報、前記子機に発生した発着信呼の発生時刻、相手電話番号を含むCall History（呼履歴）情報、電話帳（Directory）情報などが挙げられる。親機制御部は、既に子機登録・認証済みで接続中の携帯電話機４０からの子機付加情報要求メッセージによって、または、子機認証要求を行った携帯電話機４０に該当する子機付加情報を送信する。
【００９７】
このように、本実施の形態によれば、コードレス電話親機１０は、親機検索メッセージをマルチキャスト送信した携帯電話機４０にコードレス電話親機１０のアドレス情報を返信し、この携帯電話機４０を子機として登録することにより、宅内にて、インターネットに接続可能な無線ＬＡＮ通信機能を備える携帯電話機４０を子機として利用することができ、これによって、ＰＨＳ方式又はＤＥＣＴ方式のコードレス電話子機３０との共存が可能となり、ＤＥＣＴ方式の子機との内線通話や、コードレス電話親機１０に接続する固定電話網との発着信電話サービスを携帯電話機４０から利用することができる。
【００９８】
また、受信パケットの宛先アドレスに応じて、受信パケットを転送する無線ＬＡＮブリッジ制御部１１９をコードレス電話親機１０が備えたことにより、無線アクセスポイントから直接電波が届かない宅内においても、コードレス電話親機１０が携帯電話機４０と無線アクセスポイントとを中継することができ、また、無線アクセスポイントを介して宅外の携帯電話機４０をコードレス電話子機として利用することができ、オフィスから自宅にあるコードレス電話親機１０にアクセスし、留守中の着信履歴や、ＳＭＳメッセージを確認することができる。
【００９９】
なお、本実施の形態では、携帯電話機４０とコードレス電話親機１０との通信プロトコルとして、ＳＩＰを例に説明したが、本発明はこれに限らず、例えば、Ｈ３２３などを用いてもよい。
【産業上の利用可能性】
【０１００】
本発明にかかるコードレス電話装置及びコードレス電話システムは、宅内及び宅外にて、インターネットに接続可能な無線ＬＡＮ通信機能を備える無線ＩＰ端末をコードレス電話子機として利用すると共に、宅内にて、無線ＬＡＮ通信機能を備えないコードレス電話子機を共存させ、無線アクセスポイントから直接電波が届かない宅内においても、無線ＩＰ端末と無線アクセスポイントとを中継するのに有用である。
【符号の説明】
【０１０１】
１０  コードレス電話親機
２０  アクセスポイント
３０  コードレス電話子機
４０  携帯電話機
１０１  ＮＣＵ及びモデム部
１０２  ＴＡＭ部
１０３、１４２  記憶部
１０４、１４３  音声入出力部
１０５、１４４  操作部
１０６、１４５  ＬＣＤ部
１０７  コードレス電話子機無線Ｉ／Ｆ部
１０８  コードレス電話子機制御部
１０９  親機制御部
１１０  呼制御部
１１１  子機登録部
１１２  子機認証部
１１３、１５３  ＩＰ電話制御部
１１４  ＳＩＰサーバー
１１５、１５４  ＳＩＰ制御部
１１６、１５５  ＶｏＩＰ制御部
１１７  親機検索部
１１８、１４６  無線ＬＡＮ Ｉ／Ｆ部
１１９  無線ＬＡＮブリッジ制御部
１４１  セルラー無線Ｉ／Ｆ部
１４７  端末制御部
１４８  セルラー電話制御部
１４９  Ｗｅｂブラウザ制御部
１５０  親機検索要求部
１５１  子機登録要求部
１５２  子機認証要求部
【要約】
【課題】宅内及び宅外にて、インターネットに接続可能な無線ＬＡＮ通信機能を備える無線ＩＰ端末をコードレス電話子機として利用すると共に、宅内にて、無線ＬＡＮ通信機能を備えないコードレス電話子機を共存させ、無線アクセスポイントから直接電波が届かない宅内においても、無線ＩＰ端末と無線アクセスポイントとを中継するコードレス電話装置を提供する。
【解決手段】コードレス電話親機１０は、親機検索メッセージをマルチキャスト送信した携帯電話機４０にコードレス電話親機のアドレス情報を返信し、この携帯電話機４０を子機として登録する。また、無線ＬＡＮブリッジ制御部１１９が、受信パケットの宛先アドレスに応じて、受信パケットを転送する。
【選択図】図２【図１】
0005550776.tif 000002
【図２】
0005550776.tif 000003
【図３】
0005550776.tif 000004
【図４】
0005550776.tif 000005
【図５】
0005550776.tif 000006
【図６】
0005550776.tif 000007
【図７】
0005550776.tif 000008
【図８】
0005550776.tif 000009
【図９】
0005550776.tif 000010
【図１０】
0005550776.tif 000011
【図１１】
0005550776.tif 000012
【図１２】
0005550776.tif 000013